(57)【要約】【課題】表示装置において稼働状態を通知するために設けられているＬＥＤの光漏れを防止する技術を提供する。【解決手段】フロントカバー１４とフロントキャビネット１６とによりＬＥＤカバー１８を挟持する。フロントカバー１４のＬＥＤ表示部１９は、ＬＥＤの光を外部に放射する５個の表示孔２１を横略一列に備える。表示孔２１の間には、第１の光漏れ防止リブ２０が設けられている。フロントキャビネット１６のＬＥＤカバー用開口２７上部には、水平に沿って延びる第２の光漏れ防止リブ２４が備わる。【選択図】図２
2008071919.tif 000002
【特許請求の範囲】
【請求項１】
複数のＬＥＤ表示部を備えたフロントカバーを嵌合してなるフロントキャビネットに設けられるＬＥＤの光漏れ防止構造であって、
複数のＬＥＤが搭置されたＬＥＤ基板を有し、前記フロントカバーは複数のＬＥＤの隣接方向への光漏れ防止手段を有し、前記フロントキャビネットは前記複数のＬＥＤの前方、及び上下方向への光漏れ防止手段を有し、前記ＬＥＤ基板は前記複数のＬＥＤの後方への光漏れ防止手段を有することを特徴とするＬＥＤの光漏れ防止構造。
【請求項２】
請求項１に記載のＬＥＤの光漏れ防止構造において、前記ＬＥＤの光を前記ＬＥＤ表示部に導く導光体部を設けたＬＥＤカバーを有し、該ＬＥＤカバーは前記フロントカバーに係止されて前記フロントキャビネットに嵌合され、前記ＬＥＤ基板は前記フロントキャビネットに固定されることを特徴とするＬＥＤの光漏れ防止構造。
【請求項３】
請求項２に記載のＬＥＤの光漏れ防止構造において、前記フロントカバーは複数のＬＥＤの隣接方向への光漏れ防止手段として、隣り合うＬＥＤ間に位置するように第１の光漏れ防止リブを備え、
前記ＬＥＤカバーは、前記フロントカバーと前記フロントキャビネットの間に挟持されるとともに、前記第１の光漏れ防止リブを挿入するリブ挿入部を備え、
前記フロントキャビネットは前記ＬＥＤカバーの一部が挿嵌される開口を有するとともに、前記複数のＬＥＤの前方、及び上下方向への光漏れ防止手段として、該開口の上方に位置し該開口と表示装置の中央側との間に前記開口に沿って延びる第２の光漏れ防止リブと、該開口の下方に位置し該開口と前記表示装置の中央側との間に前記開口に沿って延びる第３の光漏れ防止リブと
を備えることを特徴とするＬＥＤ光漏れ防止構造。
【請求項４】
請求項１から３までのいずれかに記載のＬＥＤ光漏れ防止構造を有することを特徴とする表示装置。
【発明の詳細な説明】
【技術分野】
【０００１】
本発明は、ＬＥＤ光漏れ防止構造および表示装置に係り、特に、複数個のＬＥＤを略直列に並べて表示する発光手段において、前記ＬＥＤが発する光の漏れを防止する構造及びその構造を有する表示装置に関する。
【背景技術】
【０００２】
様々な装置において、その装置の稼働状態を知らせるためにＬＥＤ（発光ダイオード：Light Emitting Diode）が用いられている。例えば、液晶テレビでは、電源ランプや予約ランプ、明るさセンサーランプなどの複数のランプがＬＥＤにより設けられている。
【０００３】
これらのＬＥＤは、液晶テレビであれば、液晶表示パネルの外枠に設けられている。一般には、デザインの要請により外枠部分は極力狭くなっており、前述のＬＥＤの設置場所は非常に制約が大きい。
【０００４】
その様な制約があっても、ＬＥＤの表示がユーザに適正に認識される必要がある。例えば、横に３つ並ぶＬＥＤがあり、真ん中のＬＥＤが発光しているにもかかわらず、左が発光していると視認されてしまうことがあった。これは、装置内部で、ＬＥＤの光が漏れてしまうことにより発生していた。また、表示パネル部分へ光が漏れると、ユーザの視認性を低下させていた。
【０００５】
図５は、ＬＥＤカバー５６の一般的な取付構造を示した図である。本図は、取付構造の理解の容易のために、フロントキャビネット５４裏側から見た図を示している。フロントカバー５２がフロントキャビネット５４に嵌合している。
【０００６】
本図に示すように、フロントキャビネット５４に設けられたＬＥＤ表示用の開口部５８に、フロントカバー５２のＬＥＤ表示部６０が嵌められている。ＬＥＤ表示部６０には、リブ６２が設けられている。このリブ６２をＬＥＤカバー５６に設けられている挿入孔５７に挿入することで、ＬＥＤカバー５６を取り付ける。
【０００７】
図６は、フロントカバー５２にＬＥＤカバー５６を取り付けた図である。図７は、さらに、ＬＥＤが設けられる基板（以下、「ＬＥＤ基板」とも言う）６４を取り付けた状態を示した図である。図７に示すように、ＬＥＤカバー５６の上部（図中点線で示す）には、外部にＬＥＤの光が漏れるのを防止するリブがない。したがって、この隙間からＬＥＤの光が漏れてしまう。
【０００８】
上述の様な課題を克服するために、光の漏れを低減する技術が提案されている。例えば、外装パネルに複数に区画された遮光ブロックを設け、更に該遮光ブロックの先端部をＬＥＤ基板に貫通させることで、各ＬＥＤ領域に遮光ブロックを形成しＬＥＤ間の遮光を行う技術が開示されている（特許文献１参照）。
【０００９】
【特許文献１】特開平１−１６５１８２号公報
【発明の開示】
【発明が解決しようとする課題】
【００１０】
前者に開示の技術では、左右方向に対する直接的な光漏れに対して防止効果はあるが、ＬＥＤ基板の取付バラツキによっては、背面方向からの光の回り込みにより、左右方向および背面方向へ光が間接的に漏れてしまうといった課題が残っている。遮光ブロックが別部品のため、取り付けのバラツキにより光漏れが発生するという課題が依然として残っている。
【００１１】
また、特許文献１の技術では、光漏れを十分に防ぐために、キャビネットを厚くしたり、リブを長くするといったことも理論上可能であるが、フロントキャビネットを成形する際に発生する体積収縮、いわゆるヒケ防止の関係で、現実には非常に難しいという課題がある。
【００１２】
本発明は、こうした背景に鑑みなされたものであって、その目的は、ＬＥＤの光漏れを防止する技術を提供することにある。
【課題を解決するための手段】
【００１３】
本発明のある態様は、ＬＥＤ光漏れ防止構造に関する。このＬＥＤ光漏れ防止構造は、複数のＬＥＤ表示部を備えたフロントカバーを嵌合してなるフロントキャビネットに設けられるＬＥＤの光漏れ防止構造であって、複数のＬＥＤが搭置されたＬＥＤ基板を有し、前記フロントカバーは複数のＬＥＤの隣接方向への光漏れ防止手段を有し、前記フロントキャビネットは前記複数のＬＥＤの前方、及び上下方向への光漏れ防止手段を有し、前記ＬＥＤ基板は前記複数のＬＥＤの後方への光漏れ防止手段を有する。
また、前記ＬＥＤの光漏れ防止構造は、前記ＬＥＤの光を前記ＬＥＤ表示部に導く導光体部を設けたＬＥＤカバーを有してもよく、該ＬＥＤカバーは前記フロントカバーに係止されて前記フロントキャビネットに嵌合されてもよく、前記ＬＥＤ基板は前記フロントキャビネットに固定されてもよい。
また、前記ＬＥＤの光漏れ防止構造において、前記フロントカバーは複数のＬＥＤの隣接方向への光漏れ防止手段として、隣り合うＬＥＤ間に位置するように第１の光漏れ防止リブを備えてもよく、前記ＬＥＤカバーは、前記フロントカバーと前記フロントキャビネットの間に挟持されるとともに、前記第１の光漏れ防止リブを挿入するリブ挿入部を備えてもよく、前記フロントキャビネットは前記ＬＥＤカバーの一部が挿嵌される開口を有するとともに、前記複数のＬＥＤの前方、及び上下方向への光漏れ防止手段として、該開口の上方に位置し該開口と前記表示装置の中央側との間に前記開口に沿って延びる第２の光漏れ防止リブと、該開口の下方に位置し該開口と前記表示装置の中央側との間に前記開口に沿って延びる第３の光漏れ防止リブとを備えてもよい。
本発明の別のある態様は、表示装置に関する。この装置は、上記態様のＬＥＤ光漏れ防止構造を備える。
【発明の効果】
【００１４】
本発明によれば、ＬＥＤの光漏れを防止する構造を実現できる。また、その光漏れの防止構造を有する表示装置を提供することができる。
【発明を実施するための最良の形態】
【００１５】
以下、本発明の実施形態のＬＥＤ光漏れ防止構造を、図面を参照して説明する。
図１に示すように、ＬＥＤ光漏れ防止構造を有する表示装置１０は、表示部本体１２とスタンド１３とから構成される。表示装置１０は、液晶テレビやプラズマテレビ等が例示される。
【００１６】
表示部本体１２は、表示パネル１７とフロントカバー１４とフロントキャビネット１６とを備える。さらに、フロントカバー１４の正面から見て右下部分には、ＬＥＤにより表示装置１０の稼働状態を表示するＬＥＤ表示部１９が設けられている。
【００１７】
図２は、本実施形態において特徴的であるＬＥＤ光漏れ防止構造を説明するために、フロントカバー１４とフロントキャビネット１６とＬＥＤカバー１８とを分離させた状態で裏側から見た斜視図を示している。ＬＥＤ光漏れ防止構造は、フロントキャビネット１６と、フロントキャビネット１６に嵌合するフロントカバー１４と、複数並ぶＬＥＤを覆うＬＥＤカバー１８とから構成される。このとき、以下に説明する構造により、図３に示すごとく、ＬＥＤカバー１８は、フロントカバー１４とフロントキャビネット１６の間に挟持される。
【００１８】
フロントカバー１４は、フロントキャビネット１６の外形とほぼ同じ大きさの額縁形状を有し、上述のようにＬＥＤ表示部１９を備えている。図２はフロントカバー１４を裏から見た図であるため、ＬＥＤ表示部１９は、図２中では左下側に設けられている。
【００１９】
また、ＬＥＤ表示部１９は、ＬＥＤの光を外部に放射する５個の表示孔２１を横略一列に備える。各表示孔２１の間には、所望の高さの第１の光漏れ防止リブ２０が設けられている。したがって、フロントカバー１４とフロントキャビネット１６とＬＥＤカバー１８が一体となった際に、第１の光漏れ防止リブ２０が、隣り合うＬＥＤ間に位置するように設けられることになる。なおここでは、第１の光漏れ防止リブ２０は４個設けられている。なお、「所定の高さ」については後述する。
【００２０】
つづいて、ＬＥＤカバー１８は、ＬＥＤ表示部１９の表示孔２１に対応する位置に５個の導光部２３が一列に設けられている。さらに導光部２３の間には、リブ挿入孔２２が計４個設けられている。このリブ挿入孔２２に、第１の光漏れ防止リブ２０が挿嵌される。このとき、第１の光漏れ防止リブ２０はリブ挿入孔２２より所定の長さだけ突き出るとともに、導光部２３より高くなっている。より具体的には、導光部２３と第１の光漏れ防止リブ２０との高さのギャップに、図示しないＬＥＤが収まるように、第１の光漏れ防止リブ２０の高さが設定される。
【００２１】
また、ＬＥＤカバー１８は、両サイドにサイドリブ２５を備える。このサイドリブ２５の高さは、一般的には、第１の光漏れ防止リブ２０がＬＥＤカバー１８に嵌挿された際に突き出る高さに揃うように設定される。
【００２２】
つづいて、フロントキャビネット１６は、裏側から見ると左下（正面から見ると右下）部分に、ＬＥＤカバー用開口２７を備える。このＬＥＤカバー用開口２７にフロントカバー１４と一体になったＬＥＤカバー１８の一部が嵌挿される。ＬＥＤカバー用開口２７の上部には、水平に延びる第２の光漏れ防止リブ２４が所定の高さで備わる。言い換えると、ＬＥＤカバー用開口２７と表示装置１０の中央側との間に、水平方向（ＬＥＤカバー用開口２７に沿って）に延びる第２の光漏れ防止リブ２４とを備える構造となる。
【００２３】
この第２の光漏れ防止リブ２４は、ＬＥＤカバー１８の額縁形状の概ね外側部分に備わり、ＬＥＤカバー１８の形状を維持すると共に、フロントキャビネット１６全体の位置決めの機能を果たすリブの一部である。第２の光漏れ防止リブ２４の高さは、フロントカバー１４とＬＥＤカバー１８と、フロントキャビネット１６と一体になった際に突出する第１の光漏れ防止リブ２０と同じ高さより低くならないように揃うように設定される。
【００２４】
また、ＬＥＤカバー用開口２７の下には、第２の光漏れ防止リブ２４と略平行に第３の光漏れ防止リブ２６を備える。第３の光漏れ防止リブ２６は、フロントキャビネット１６の外枠又は第２の光漏れ防止リブ２４同様の機能を果たすリブの一部である。なお、第３の光漏れ防止リブ２６の高さは、第２の光漏れ防止リブ２４の高さと同様に設定されればよい。
【００２５】
また、ＬＥＤカバー用開口２７は、図３から分かるように、上下の周に、歯形状の突出片３１が開口内側向きに設けられている。この突出片３１は、ＬＥＤカバー１８の導光部２３を上下から挟むような形状及び位置となっている。これにより、ＬＥＤの光が表示部本体１２以外の部分へ前方から漏れることを低減する。
【００２６】
図４は、図３に示したフロントカバー１４とフロントキャビネット１６とＬＥＤカバー１８が一体となった状態に、さらにＬＥＤ基板３０と取り付けた状態を示している。ＬＥＤ基板３０の本図奥側の面には。所望のＬＥＤが取り付けられている。ＬＥＤは、上述の通り導光部２３と第１の光漏れ防止リブ２０との高さのギャップに収まっている。したがって、ＬＥＤの光が隣のＬＥＤへ漏れることが防止できる。また、ＬＥＤ基板３０によりＬＥＤの光が背面（本図手前側）に漏れることを防止できる。
【００２７】
さらに、ＬＥＤの図４上方には、第２の光漏れ防止リブ２４が存在するので、上方から隣接するＬＥＤ領域への漏光の回り込みを防止するとともに、表示装置中央方向、より具体的には表示パネル方向にＬＥＤの光が漏れて、表示品位を低下させるといったことを回避できる。また、ＬＥＤの図４下方には、第３の光漏れ防止リブ２６が存在するので、下方から隣接するＬＥＤ領域への漏光の回り込みを防止することができる。
【００２８】
また、図３に示すようにＬＥＤカバー１８が、フロントカバー１４とフロントキャビネット１６とに挟持される構成であるため、ＬＥＤカバー１８をビス止めする必要が無くなる。
【００２９】
以上、本発明を実施の形態をもとに説明した。この実施の形態は例示であり、それらの各構成要素の組み合わせにいろいろな変形例が可能なこと、またそうした変形例も本発明の範囲にあることは当業者に理解されるところである。
【産業上の利用可能性】
【００３０】
本発明は、複数個のＬＥＤを並べて表示する発光手段において、前記ＬＥＤが発する光の漏れを防止する構造及びその構造を有する画像表示装置に広く適用できる。
【図面の簡単な説明】
【００３１】
【図１】本実施形態に係る光漏れ防止構造を有する表示装置の概略外観図である。
【図２】フロントカバーとフロントキャビネットとＬＥＤカバーとを分離した状態で裏側から見た斜視図である。
【図３】フロントカバーとフロントキャビネットとＬＥＤカバーとが一体となった状態を示した図である。
【図４】図３に示したフロントカバーとフロントキャビネットとＬＥＤカバーとが一体となった状態に、さらにＬＥＤ基板を取り付けた状態を示した図である。
【図５】従来技術における、ＬＥＤカバーの一般的な取付構造を示した図である。
【図６】従来技術において、ＬＥＤカバーをフロントキャビネット及びフロントカバーに取り付けた図である。
【図７】図６で示した構成に、ＬＥＤ基板をさらに取り付けた状態を示した図である。
【符号の説明】
【００３２】
１０      表示装置
１３      スタンド
１４      フロントカバー
１６      フロントキャビネット
１８      ＬＥＤカバー
２０      第１の光漏れ防止リブ
２２      リブ挿入孔
２３      導光部（導光体部）   ２４      第２の光漏れ防止リブ
２６      第３の光漏れ防止リブ
２７      ＬＥＤカバー用開口
３０      ＬＥＤ基板
３２      突出片
【図１】
2008071919.tif 000003
【図２】
2008071919.tif 000004
【図３】
2008071919.tif 000005
【図４】
2008071919.tif 000006
【図５】
2008071919.tif 000007
【図６】
2008071919.tif 000008
【図７】
2008071919.tif 000009